(57)【要約】      （修正有）【課題】灰皿や吸殻入れ等が無い場所でのポイ捨てなどのマナーを改善し環境にやさしく喫煙に対する社会の理解を得ること。【解決手段】ケースは全体がアルミ素材かアルミ加工もしくはケース内側に不燃加工を施した紙製ケースとし外側表面は市販されている既存煙草パッケージと各煙草銘柄と同一デザインが印刷された煙草パッケージケースである。パッケージケースにはミシン目と折れ目線加工が施されており本体を取だし矢印のミシン目に沿って切り離しさらに折れ目線に沿って折っていくと携帯灰皿が組み立てられる。本考案の特徴は市販の煙草パッケージとほぼ同一サイズでしかも外側表面には同一デザインが印刷され使い捨てタイプとし、通常は煙草パッケージを収納し必要な時に切り離し組み上げる。【選択図】図５
0003125555.tif 000002
【実用新案登録請求の範囲】
【請求項１】
本考案の携帯灰皿に変化する紙巻煙草パッケージケースは紙巻煙草パッケージ本体を収納できうるサイズの蓋付箱型ケースである。
【請求項２】
本考案のパッケージケースは全体がアルミ素材かアルミ加工素材もしくはケース本体内側に不燃加工を施した紙製素材であり尚且つ外側表面は収納すべく銘柄の紙巻煙草パッケージと同一デザインを施す。
【請求項３】
本考案のケース本体には必要時に携帯灰皿に変化する組み立て可能なミシン目や折り目線が入っており使用時には矢印のミシン目に沿って切り離し、折れ目線に沿って折ることにより吸殻５〜６本収納可能な使い捨て箱型携帯灰皿に変化する。上記の箱型携帯灰皿は全体をアルミ素材かアルミ加工素材もしくはケース内側面に不燃加工を施した紙製素材を使用する。上蓋中蓋の二重蓋により吸殻や灰の漏れがなくポケットやバッグ、鞄にも収納可能である。
【考案の詳細な説明】
【技術分野】
【０００１】灰皿や吸殻入れ等がない場所でのポイ捨てなどのマナーを改善し環境にやさしく喫煙に対する社会の理解を得ることを目的とする。
【考案の開示】
【考案が解決しようとする課題】
【０００２】従来からある携帯灰皿は喫煙者及び消費者に向けての携帯灰皿であり、携帯灰皿を購入して使用するかしない、喫煙者や消費者のモラルにゆだねるしかなかった点が現在のポイ捨てや社会環境に悪影響をおよぼして喫煙者に対する社会の厳しい目が向けられている。また、携帯灰皿を購入しても置き忘れなどにより、必要時に携帯していないという現状が多い。
【課題を解決するための手段】
【０００３】本考案は喫煙者および消費者に喫煙マナーをゆだねるのではなく理解と責任ある煙草生産者および販売業者に協力していただくことにより解決できる考案である。【０００４】本考案は現在生産販売され将来においても生産販売されようとしている紙巻煙草パッケージのすべての商品に適応され既存の自動販売機においても使用可能である。【０００５】本考案は市販されている煙草パッケージＢＯＸタイプ、ソフトタイプ，ロングサイズ、ノーマルサイズ、ショートサイズいずれのサイズにも適応できる携帯灰皿に変化する紙巻煙草パッケージケースである。【０００６】本考案の携帯灰皿に変化する紙巻煙草パッケージケースは既存の煙草パッケージサイズがサイズ別にそれぞれ挿入可能なサイズのケースである。【０００７】本考案のケースは全体がアルミ素材かアルミ加工もしくはケース内側に不燃加工を施した紙製ケースとし外側表面は市販されている既存煙草パッケージと各煙草銘柄と同一デザインが印刷された煙草パッケージケースである。パッケージケースにはミシン目と折れ目線加工が施されており本体を取だし矢印のミシン目に沿って切り離しさらに折れ目線に沿って折っていくと携帯灰皿が組み立てられる。【０００８】本考案の特徴は市販の煙草パッケージ本体とほぼ同一サイズでしかも外側表面には同一デザインが印刷され使い捨てタイプとし通常は煙草パッケージを収納し必要な時に切り離し組み上げる。それによって携帯灰皿の忘れやポイ捨てが解消される。
【考案の効果】
【０００９】本考案は喫煙者及び消費者に携帯灰皿の購買の選択をゆだねるのではなく煙草を買うことによって煙草パッケージと一体化した携帯灰皿に変化するパッケージケースであるため携帯灰皿の忘れやポイ捨てがなくなり地球環境や社会環境にもやさしく喫煙者のマナー向上、社会的理解を得られ喫煙問題に効果が期待できる。
【考案を実施するための最良の形態】
【００１０】通常は煙草パッケージケースに煙草パッケージ本体を収納し、必要なときに煙草パッケージ本体を取り出し、ケース内側に指示されている矢印に沿って切り離し、折れ目線に沿って折り曲げていくと蓋付箱型携帯灰皿に変化する。材質はアルミ素材かアルミ加工素材もしくはケースの内側面に不燃加工を施した紙製の素材を使用。吸殻５〜６本収納でき上蓋中蓋の二重蓋により吸殻および灰の漏れもなく密閉できる為煙草の火も安易に消すことができポケットその他バッグや鞄にも入れることが可能である。
従来の携帯灰皿は喫煙者及び消費者に購入の選択をゆだねていた。携帯灰皿が発売され二十数余年が経ち未だにポイ捨てやマナーが守られてなく日増しに愛煙家の立場が窮地に陥っている現状である。
【産業上の利用可能性】
【００１１】本考案は煙草生産者及び販売業者の協力と理解を得て煙草生産段階において本考案のケースを生産し喫煙者及び消費者に負担をかけることなく尚且つ煙草を購入するごとに煙草パッケージに一体化された携帯灰皿が得られ、それにより携帯灰皿の忘れやポイ捨てが減少し、尚且つ社会的理解が得られることにより国内及び海外煙草産業にも貢献しうるものと考える。
【図面の簡単な説明】
【００１２】
【図１−Ａ】紙巻煙草パッケージケースを収納し携帯灰皿に変化する煙草パッケージケースの完成斜視姿図、外側表面である。
【図１−Ｂ】図１−Ａパッケージケースの上蓋を開けた姿図、ケースの中には市販の煙草パッケージが収納されている。
【図１−Ｃ】紙巻煙草パッケージを収納し、携帯灰皿に変化する煙草パッケージケースの完成斜視姿図、外側裏面である。
【図１−Ｄ】図１−Ｃのパッケージの上蓋を開けた斜視姿図、外側裏面である。ケースの中には市販の煙草パッケージが収納されている。
【図２】図１−Ａ，図１−Ｂのパッケージケースの携帯灰皿に変化するパッケージケースの切り離し線及び折りこみ線の斜視詳細図である。外側表面。
【図３】図１−Ｃ，図１−Ｄのパッケージケースの携帯灰皿に変化するパッケージケースの切り離し線及び折りこみ線の斜視詳細図である。外側裏面。
【図４】煙草パッケージ本体から切り離し線によって変化する携帯灰皿を切り離した斜視姿図である。
【図５】図−４の切り離された変化する携帯灰皿を折りこみ線に沿って折り込み、箱型携帯灰皿の完成斜視図である。
【符号の説明】
【００１３】▲１▼切り離し線
▲２▼折り込み線
▲３▼市販の煙草パッケージ
▲４▼中蓋
▲５▼上蓋
▲６▼ケース内側面もしくはケース本体をアルミ素材かアルミ加工素材、又は不燃加工を施した紙型ケースとする。
▲７▼収納する煙草パッケージケースと同一デザインを印刷する。
【図１−Ａ】
0003125555.tif 000003
【図１−Ｂ】
0003125555.tif 000004
【図１−Ｃ】
0003125555.tif 000005
【図１−Ｄ】
0003125555.tif 000006
【図２】
0003125555.tif 000007
【図３】
0003125555.tif 000008
【図４】
0003125555.tif 000009
【図５】
0003125555.tif 000010
【手続補正書】
【提出日】平成17年6月20日(2005.6.20)
【手続補正１】
【補正対象書類名】実用新案登録請求の範囲
【補正対象項目名】請求項１
【補正の内容】
【請求項１】
本考案の携帯灰皿に変化する紙巻煙草パッケージケースは紙巻煙草パッケージ本体を収納できうるサイズの蓋付箱型ケースもしくは蓋無し箱型ケースであり蓋無し箱型ケースには追加図面、図６、図７の示す通り、２種類の箱型ケースがある。
【手続補正２】
【補正対象書類名】実用新案登録請求の範囲
【補正対象項目名】請求項２
【補正方法】変更
【補正の内容】
【請求項２】
本考案のパッケージケースは全体がアルミ素材かアルミ加工素材もしくはケース本体内側に不燃加工を施した紙製素材であり尚且つ外側表面は収納すべく銘柄の紙巻煙草パッケージと同一デザインを施すか、もしくは任意のデザインあるいは新商品の企画ＰＲ等々、消費者・喫煙者へのコマーシャルスペースとして使用する。
【手続補正３】
【補正対象書類名】図面
【補正対象項目名】図６
【補正方法】追加
【補正の内容】
【図６】
0003125555.tif 000011
【手続補正４】
【補正対象書類名】図面
【補正対象項目名】図７
【補正方法】追加
【補正の内容】
【図７】
0003125555.tif 000012
【手続補正書】
【提出日】平成17年9月20日(2005.9.20)
【手続補正１】
【補正対象書類名】実用新案登録請求の範囲
【補正対象項目名】全文
【補正方法】変更
【補正の内容】
【実用新案登録請求の範囲】
【請求項１】
本考案の携帯灰皿に変化する蓋付箱型紙巻煙草パッケージケースは市販の紙巻煙草パッケージケース本体を収納できうるサイズの蓋付箱型紙巻煙草パッケージケース。
【請求項２】
本考案の携帯灰皿に変化する蓋付箱型紙巻煙草パッケージケースは全体がアルミ素材かアルミ加工素材もしくはケース本体内側に不燃加工を施した紙製素材であり尚且つ外側表面は収納すべく銘柄の紙巻煙草パッケージと同一デザインを施した携帯灰皿に変化する蓋付箱型紙巻煙草パッケージケース。
【請求項３】
本考案の携帯灰皿に変化する蓋付箱型紙巻煙草パッケージケース本体には必要時に携帯灰皿に変化する組み立て可能なミシン目や折れ目線が施されており使用時には矢印のミシン目に沿って切り離し折れ目線に沿って折ることにより吸殻５〜６本収納可能な使い捨て携帯灰皿に変化する蓋付箱型紙巻煙草パッケージケース。
【請求項４】
本考案の携帯灰皿に変化する蓋付箱型紙巻煙草パッケージケースは上蓋、中蓋の二重蓋により吸殻や灰の漏れが無くポケットやバッグにも収納可能な携帯灰皿に変化する蓋付箱型パッケージケース。
【手続補正３】
【補正対象書類名】明細書
【補正対象項目名】０００５
【補正方法】変更
【補正の内容】
【０００５】本考案は市販されている煙草パッケージＢＯＸタイプ、ソフトタイプ、ロングサイズ、ノーマルサイズ、ショートサイズいずれのサイズにも適応できる携帯灰皿に変化する蓋付箱型紙巻煙草パッケージケースである。
【手続補正４】
【補正対象書類名】明細書
【補正対象項目名】００１２
【補正方法】変更
【補正の内容】
【００１２】
【図１−Ａ】市販の紙巻煙草パッケージケースを収納し携帯灰皿に変化する蓋付箱型紙巻煙草パッケージケースの完成斜視姿図、外側表面である。
【図１−Ｂ】図１−Ａ携帯灰皿に変化する蓋付箱型紙巻煙草パッケージケースの上蓋を開けた姿図、ケースの中には市販の煙草パッケージが収納されている。
【図１−Ｃ】市販の紙巻煙草パッケージケースを収納し携帯灰皿に変化する蓋付箱型紙巻煙草パッケージケースの完成斜視図、外側裏面である。
【図１−Ｄ】図１−Ｃの携帯灰皿に変化する蓋付箱型紙巻煙草パッケージケースの上蓋を開けた斜視姿図、外側裏面である。
【図２】図１−Ａ，図１−Ｂの携帯灰皿に変化する蓋付箱型紙巻煙草パッケージケースのミシン目切り離し線及び折り込み線の斜視詳細図、外側表面である。
【図３】図１−Ｃ，図１−Ｄの携帯灰皿に変化する蓋付箱型紙巻煙草パッケージケースのミシン目切り離し線及び折り込み線の斜視詳細図、外側裏面である。
【図４】携帯灰皿に変化する蓋付箱型紙巻煙草パッケージケースから切り離し線によって変化する携帯灰皿を切り離した斜視図である。
【図５】図４の切り離された携帯灰皿に変化する蓋付箱型紙巻煙草パッケージケースを折り込み線に沿って折り込み携帯灰皿に変化した蓋付箱型紙巻煙草パッケージの完成斜視姿図である。
【手続補正書】
【提出日】平成18年1月26日(2006.1.26)
【手続補正１】
【補正対象書類名】実用新案登録請求の範囲
【補正対象項目名】全文
【補正方法】変更
【補正の内容】
【実用新案登録請求の範囲】
【請求項１】
紙巻煙草パッケージに外装し、前記紙巻き煙草パッケージを取り出し可能にした箱形ケース。
【請求項２】
内側を不燃材で構成し、外側に前記紙巻き煙草パッケージ表面と略同一の意匠を施した請求項１の箱形ケース。
【請求項３】
前記箱形ケースに切取線と折れ目線を施し、前記切取線に従い切り取り、一つの面とそれに対向する面を互いに対向面方向に折れ目線に従い折り曲げる事により、２重の蓋を形成可能にした請求項１又は請求項２の箱形ケース。
【請求項４】
前記箱形ケースは上蓋、中蓋の二重蓋に依り吸殻や灰の漏れがなくポケットやバッグにも収納可能な請求項１又は請求項２及び請求項３の箱形ケース。
【手続補正２】
【補正対象書類名】図面
【補正対象項目名】図１−Ａ
【補正方法】変更
【補正の内容】
【図１−Ａ】
0003125555.tif 000013
【手続補正３】
【補正対象書類名】図面
【補正対象項目名】図１−Ｂ
【補正方法】変更
【補正の内容】
【図１−Ｂ】
0003125555.tif 000014
【手続補正４】
【補正対象書類名】図面
【補正対象項目名】図１−Ｃ
【補正方法】変更
【補正の内容】
【図１−Ｃ】
0003125555.tif 000015
【手続補正５】
【補正対象書類名】図面
【補正対象項目名】図１−Ｄ
【補正方法】変更
【補正の内容】
【図１−Ｄ】
0003125555.tif 000016
【手続補正書】
【提出日】平成18年6月14日(2006.6.14)
【手続補正１】
【補正対象書類名】実用新案登録請求の範囲
【補正対象項目名】全文
【補正方法】変更
【補正の内容】
【実用新案登録請求の範囲】
【請求項１】
紙巻き煙草パッケージに外装し、前記紙巻き煙草パッケージを取り出し可能にした箱形ケース。
【請求項２】
内側を不燃材で構成し、外側に前記紙巻き煙草パッケージ表面と略同一の意匠を施した請求項１の箱形ケース。
【請求項３】
前記箱形ケースに切取線と折れ目線を施し、前記切取線に従い切り取り、一つの面とそれに対向する面を互いに対向面方向に折れ目線に従い折り曲げる事により、二重の蓋を形成可能にした請求項１又は請求項２の箱形ケース。